(57)【要約】【課題】あるタスクの実行による表示が表示画面で行われているときに、別のタスクに伴うイベントの通知があった場合の、ユーザの煩わしさを最小限に抑える表示装置等を実現する。【解決手段】本発明の表示装置は、第１のタスクを実行し、実行した内容を表示しているときに、第２のタスクに伴うイベントを検出すると、上記第１のタスクの実行による表示の表示画面上の表示面積を縮小し、上記第１のタスクの実行による表示と重ならない位置に上記第２のタスクに伴うイベントを通知する通知表示を行う表示制御部１５０を備えている。これにより、あるタスクの実行による表示が表示画面で行われているときに、別のタスクに伴うイベントの通知があった場合の、ユーザの煩わしさを最小限に抑える表示装置等を実現できる。【選択図】図１
2008084300.tif 000002
【特許請求の範囲】
【請求項１】
複数のタスクを同時に実行できる表示装置であって、
第１のタスクを実行し、実行した内容を表示しているときに、第２のタスクに伴うイベントを検出すると、上記第１のタスクの実行による表示の表示画面上の表示面積を縮小し、上記第１のタスクの実行による表示と重ならない位置に上記第２のタスクに伴うイベントを通知する通知表示を行う表示制御手段を備えていることを特徴とする表示装置。
【請求項２】
ユーザの選択を受け付ける受付手段を備え、
上記表示制御手段は、上記通知表示に、上記第２のタスクに伴うイベントが示す内容と、該内容に関するユーザの選択を受け付けるメニューとを含めていることを特徴とする請求項１に記載の表示装置。
【請求項３】
上記表示制御手段は、上記受付手段が受け付けたユーザの選択によって、縮小した上記第１のタスクの実行による表示の表示画面上の表示面積を拡大することを特徴とする請求項２に記載の表示装置。
【請求項４】
上記表示制御手段は、上記通知表示を行ってから、所定の時間が経過するまでに、ユーザによる選択を上記受付手段で受け付けなかった場合、縮小した上記第１のタスクの実行による表示の表示画面上の表示面積を拡大することを特徴とする請求項２に記載の表示装置。
【請求項５】
上記表示制御手段は、上記第２のタスクに伴うイベントが終了すると、縮小した上記第１のタスクの実行による表示の表示画面上の表示面積を拡大することを特徴とする請求項１に記載の表示装置。
【請求項６】
上記第１のタスクおよび上記第２のタスクは、ソフトウェアアプリケーション、ソフトウェアの過程、および画像の表示の少なくともいずれか１つを含んでいることを特徴とする請求項１に記載の表示装置。
【請求項７】
通信媒体を介して接続されている外部の装置から上記タスクを示すタスクデータを取得するデータ取得手段を備えていることを特徴とする請求項１に記載の表示装置。
【請求項８】
上記データ取得手段が取得したタスクデータに伴う上記通知表示は、電話の着信を知らせる通知、メッセージの受信を知らせる通知、画像の受信を知らせる通知、およびカレンダーに記憶されている予定を知らせる通知のいずれか１つを含んでいることを特徴とする請求項７に記載の表示装置。
【請求項９】
請求項１から８までのいずれか１項に記載の表示装置を動作させる表示装置制御プログラムであって、コンピュータを上記の各手段として機能させるための表示装置制御プログラム。
【請求項１０】
請求項９に記載の表示装置制御プログラムを記録したコンピュータ読み取り可能な記録媒体。
【請求項１１】
複数のタスクを同時に実行できる表示装置の制御方法であって、
第１のタスクを実行し、実行した内容を表示しているときに、第２のタスクに伴うイベントを検出すると、上記第１のタスクの実行による表示の表示画面上の表示面積を縮小し、上記第１のタスクの実行による表示と重ならない位置に上記第２のタスクに伴うイベントを通知する通知表示を行う表示制御ステップを含むことを特徴とする表示装置の制御方法。
【発明の詳細な説明】
【技術分野】
【０００１】
本発明は、複数のタスクを同時に平行して実行できる、いわゆるマルチタスク機能を備えた表示装置に関し、特に、ある画面が表示さているときに、別の画面が表示されることにより元々表示されていた画面が中断されることによる煩わしさを最小限に抑える表示装置等に関するものである。
【背景技術】
【０００２】
携帯電話、ポケットＰＣ（personal computer）、およびＰＤＡ（personal data assistant）などの携帯表示装置は、複数のソフトウェアアプリケーション、例えば、画像データを受信し画像を再生するとともに、電話の着信を受け付けるなどの処理を同時に実行することができる。他にも、メッセージを受信したり、カレンダー機能を備え、予定を記憶させておくことにより予定の日や時刻にユーザに対し報知するなどの処理を行うことができる。
【０００３】
そして、従来では、１つのタスクを実行中で、実行による表示が表示画面で行われていたときに、別のタスクに伴うイベントの通知があった場合、例えば、画像を再生中に、電話の着信があったような場合、電話の着信を知らせる画面を、画像を再生している画面の上にかぶさるように（いわゆる、ポップアップ形式で）表示していた。
【特許文献１】米国特許公報２００６−０１２９４５８Ａ１（公開日：２００６年６月１５日）
【特許文献２】米国特許公報２００６−０１２６５８３Ａ１（公開日：２００６年６月１５日）
【特許文献３】米国特許公報２００６−００１０４７８Ａ１（公開日：２００６年１月１２日）
【特許文献４】米国特許公報２００６−００７３８１６Ａ１（公開日：２００６年４月６日）
【特許文献５】米国特許公報２００５−０２７７４０６Ａ１（公開日：２００５年１２月１５日）
【特許文献６】米国特許公報２００６−０１４９９６７Ａ１（公開日：２００５年７月７日）
【発明の開示】
【発明が解決しようとする課題】
【０００４】
しかしながら、１つのタスクを実行中で、実行による表示が表示画面で行われているときに、別のタスクに伴うイベントの通知があった場合に、上述したポップアップ形式で通知を行う方式では、ユーザを大きく煩わせることになる。なぜなら、例えば、画像を再生する処理を行っているとき、すなわち、ユーザが画像を視聴しているときに、視聴中の画像の上にポップアップ形式で新たな画面、例えば電話の着信を知らせる画面が表示されると、ユーザは、視聴していた画像を中断され、かつそのポップアップ形式で表示された新たな画面の処理、この場合は電話の処理をしている間の画像を見逃してしまうことになるためである。特に、重要ではないと思われる内容をポップアップ形式で通知された場合には、ユーザは、特に不快な気分にさせられる。
【０００５】
すなわち、ポップアップ形式による表示は、複数のタスクを同時に平行して実行できる携帯表示装置のユーザにとっては、不快なものとなりやすい。これは、ユーザが、自己が実行中だったタスクに戻る前に、そのポップアップ形式により表示された新たな処理をしなければならないためである。
【０００６】
本発明は、上記の問題点に鑑みてなされたものであり、その目的は、あるタスクの実行による表示が表示画面で行われているときに、別のタスクに伴うイベントの通知があった場合の、ユーザの煩わしさを最小限に抑える表示装置等を実現することにある。
【課題を解決するための手段】
【０００７】
上記課題を解決するために、本発明に係る表示装置は、複数のタスクを同時に実行できる表示装置であって、第１のタスクを実行し、実行した内容を表示しているときに、第２のタスクに伴うイベントを検出すると、上記第１のタスクの実行による表示の表示画面上の表示面積を縮小し、上記第１のタスクの実行による表示と重ならない位置に上記第２のタスクに伴うイベントを通知する通知表示を行う表示制御手段を備えていることを特徴としている。
【０００８】
また、上記課題を解決するために、本発明に係る表示装置の制御方法は、複数のタスクを同時に実行できる表示装置の制御方法であって、第１のタスクを実行し、実行した内容を表示しているときに、第２のタスクに伴うイベントを検出すると、上記第１のタスクの実行による表示の表示画面上の表示面積を縮小し、上記第１のタスクの実行による表示と重ならない位置に上記第２のタスクに伴うイベントを通知する通知表示を行う表示制御ステップを含むことを特徴としている。
【０００９】
上記の構成および方法によれば、第１のタスクを実行し、実行した内容を表示しているときに、第２のタスクに伴うイベントを検出した場合、第１のタスクの実行による表示の表示画面上の表示面積が縮小されるとともに、第１のタスクの実行による表示とは重ならない位置に第２のタスクに伴うイベントを通知する通知表示が行われる。
【００１０】
これにより、第２のタスクに伴うイベントの通知表示が、第１のタスクの実行による表示と重なることがないので、従来のポップアップ形式による表示のように、第１のタスクの実行による表示を視聴しているユーザを不快にさせることを防止することができる。
【００１１】
ここで、タスクとは、装置が処理する対象をいう。また、イベントとは、特定の事象が発生したときに、該特定の事象が発生した旨の信号が発せられる場合の、該特定の事象のことをいう。
【００１２】
本発明に係る表示装置では、ユーザの選択を受け付ける受付手段を備え、上記表示制御手段は、上記通知表示に、上記第２のタスクに伴うイベントが示す内容と、該内容に関するユーザの選択を受け付けるメニューとを含めているものであることが好ましい。
【００１３】
上記の構成によれば、通知表示に第２のタスクに伴うイベントが示す内容と、該内容に関するユーザの選択を受け付けるメニューが含まれる。そして、ユーザの選択を受け付ける受付手段が備えられる。
【００１４】
これにより、ユーザは、通知表示から受信した第２のタスクの内容を把握することができ、該内容に関して選択することができる。
【００１５】
例えば、第２のタスクが電話の着信であり、ユーザの選択メニューが「応答」および「キャンセル」とあった場合に、ユーザは、通知表示から電話の着信があったことを把握でき、選択メニューから電話の着信に対し、応答するか、放置するかを選択することができる。
【００１６】
本発明に係る表示装置では、上記表示制御手段は、上記受付手段が受け付けたユーザの選択によって、縮小した上記第１のタスクの実行による表示の表示画面上の表示面積を拡大するものであることが好ましい。
【００１７】
上記の構成によれば、上記受付手段が受け付けたユーザの選択によって、第１のタスクの実行による表示の表示画面を拡大する。
【００１８】
これにより、例えば、ユーザから受け付けた選択の内容が第２のタスクについてキャンセルするようなものであった場合、第１のタスクの実行による表示を再び拡大することで、ユーザに対し第１のタスクの実行による表示を拡大された画面で提供することができる。
【００１９】
なお、拡大された画面は、表示画面において全画面表示される大きさであってもよい。
【００２０】
本発明に係る表示装置では、上記表示制御手段は、上記通知表示を行ってから、所定の時間が経過するまでに、ユーザによる選択を上記受付手段で受け付けなかった場合、縮小した上記第１のタスクの実行による表示の表示画面上の表示面積を拡大するものであってもよい。
【００２１】
上記の構成によれば、上記表示制御手段は、上記通知表示を行ってから、所定の時間が経過するまでに、ユーザによる選択を上記受付手段で受け付けなかった場合、縮小した上記第１のタスクの実行による表示の表示画面上の表示面積を拡大する。
【００２２】
これにより、通知表示がなされてから、何らユーザの選択指示がない場合、第１のタスクの実行による表示の表示画面上の表示面積を拡大され、通知表示が表示されたままということを防止できる。
【００２３】
なお、拡大された画面は、表示画面において全画面表示される大きさであってもよい。
【００２４】
本発明に係る表示装置では、上記表示制御手段は、上記第２のタスクに伴うイベントが終了すると、縮小した上記第１のタスクの実行による表示の表示画面上の表示面積を拡大するものであってもよい。
【００２５】
上記の構成によれば、上記表示制御手段は、上記第２のタスクに伴うイベントが終了すると、縮小した上記第１のタスクの実行による表示の表示画面上の表示面積を拡大する。
【００２６】
これにより、第２のタスクに伴うイベントが終了したにもかかわらず、通知表示が表示されたままということを防止できる。
【００２７】
なお、拡大された画面は、表示画面において全画面表示される大きさであってもよい。
【００２８】
本発明に係る表示装置では、上記第１のタスクおよび上記第２のタスクは、ソフトウェアアプリケーション、ソフトウェアの過程、および画像の表示の少なくともいずれか１つを含んでいるものであってもよい。
【００２９】
本発明に係る表示装置では、通信媒体を介して接続されている外部の装置から上記タスクを示すタスクデータを取得するデータ取得手段を備えているものであることが好ましい。
【００３０】
上記の構成によれば、通信媒体を介して接続されている外部の装置からタスクを示すタスクデータを取得する。これにより、外部の装置から取得したタスクを実行することができる。
【００３１】
本発明に係る表示装置では、上記データ取得手段が取得したタスクデータに伴う上記通知表示は、電話の着信を知らせる通知、メッセージの受信を知らせる通知、画像の受信を知らせる通知、およびカレンダーに記憶されている予定を知らせる通知のいずれか１つを含んでいるものであってもよい。
【００３２】
なお、上記表示装置は、コンピュータによって実現してもよく、この場合には、コンピュータを上記各手段として動作させることにより上記表示装置をコンピュータにて実現させる表示装置の制御プログラム、およびそれを記録したコンピュータ読み取り可能な記録媒体も、本発明の範疇に入る。
【発明の効果】
【００３３】
以上のように、本発明に係る表示装置は、複数のタスクを同時に実行できる表示装置であって、第１のタスクを実行し、実行した内容を表示しているときに、第２のタスクに伴うイベントを検出すると、上記第１のタスクの実行による表示の表示画面上の表示面積を縮小し、上記第１のタスクの実行による表示と重ならない位置に上記第２のタスクに伴うイベントを通知する通知表示を行う表示制御手段を備えている構成である。
【００３４】
また、本発明に係る表示装置の制御方法は、複数のタスクを同時に実行できる表示装置の制御方法であって、第１のタスクを実行し、実行した内容を表示しているときに、第２のタスクに伴うイベントを検出すると、上記第１のタスクの実行による表示の表示画面上の表示面積を縮小し、上記第１のタスクの実行による表示と重ならない位置に上記第２のタスクに伴うイベントを通知する通知表示を行う表示制御ステップを含む方法である。
【００３５】
これにより、第２のタスクに伴うイベントの通知表示が、第１のタスクの実行による表示と重なることがないので、従来のポップアップ形式による表示のように、第１のタスクの実行による表示を視聴しているユーザを不快にさせることを防止することができる。
【発明を実施するための最良の形態】
【００３６】
本発明の一実施の形態について図１から図５に基づいて説明すれば、以下のとおりである。なお、以下では、第１のタスクの実行として惑星画像の再生を、第２のタスクに伴うイベントの通知として電話の着信に伴う電話着信の通知を例に説明するが、これに限られるものではない。請求項に示した範囲で種々の変更が可能であり、請求項に示した範囲で適宜変更した技術的手段を組み合わせて得られる実施形態についても本発明の技術的範囲に含まれる。
【００３７】
図１は、本実施の形態にかかる通信システム１のブロック図である。図１に示すように通信システム１は、ネットワーク５０を介して表示装置１０が、電話機２０、マルチメディアデータ送信装置３０、およびビデオサーバ４０と通信可能に接続している。
【００３８】
ネットワーク５０は、例えば自宅兼オフィスのネットワーク、企業ネットワーク、およびサービスプロバイダネットワーク等が考えられる。そして、電話機２０、マルチメディアデータ送信装置３０、およびビデオサーバ４０は、それらの１つまたは複数のネットワークに接続されている。
【００３９】
電話機２０は、音声通話をするために、表示装置１０の電話送受信部１２０と相互に通信する。
【００４０】
マルチメディアデータ送信装置３０は、マルチメディアデータを表示装置１０のマルチメディアデータ送受信部１３０へ送信する。ここで、マルチメディアデータとは、例えば画像を用いた音声通話を行うためのデータ、電子メールの送受信を行うためのデータ、およびデジタル画像通信を行うためのデータなどを含むデータをいう。
【００４１】
ビデオサーバ４０は、表示装置１０で画像を再生するときに、要求された画像の画像データを、表示装置１０の画像再生部１４０へ送信する。
【００４２】
電話機２０、マルチメディアデータ送信装置３０、およびビデオサーバ４０は、ネットワーク５０内の１つまたは複数のアクセスポイント（図示せず）、例えば携帯電話基地局、または無線ＬＡＮアクセスポイントと有線または無線によって接続されている。この接続は、直接接続であってもよいし、あるいはネットワーク５０内の１つまたは複数のデータ通信接続点、例えばルータ、スイッチ、またはブリッジを介した接続であってもよい。
【００４３】
ネットワーク５０内の上記１つまたは複数のアクセスポイントは、１つまたは複数の無線通信網およびネットワークインターフェース１０５を介して、表示装置１０と無線で接続されている。上記無線通信網は、これを介してデータが転送される、周知の様々な種類の任意の通信網リンク、例えば携帯電話通信網、またはＬＡＮ通信網であってもよい。
【００４４】
表示装置１０は、例えば携帯電話、ＩＰ電話、ＰＤＡ、またはポケットＰＣ等が考えられる。表示装置１０と電話機２０、マルチメディアデータ送信装置３０、およびビデオサーバ４０は、周知の様々な通信プロトコルを用いて、データ通信することが可能である。
【００４５】
次に、表示装置１０について説明する。表示装置１０は、ネットワークインターフェース１０５と、表示部１６０およびキーパッド（受付手段）１７０を含むユーザインターフェース素子と、ネットワークインターフェース１０５と上記ユーザインターフェース素子とを通信可能に接続した制御部１１０とを備えている。
【００４６】
制御部１１０は、電話送受信部（データ取得手段）１２０と、マルチメディアデータ送受信部（データ取得手段）１３０と、画像再生部（データ取得手段）１４０と、カレンダー部１４５と、表示制御部（表示制御手段）１５０とから構成されている。
【００４７】
カレンダー部１４５は、いわゆるカレンダー機能を提供するものであり、ユーザにより入力された予定をカレンダー記憶部１４６に記憶する。また、カレンダー記憶部１４６に記憶された予定の日時が来たときに、その旨をユーザに対し報知するものである。
【００４８】
表示制御部１５０は、表示部１６０の表示を制御する。より詳細には、電話送受信部１２０、マルチメディアデータ送受信部１３０、画像再生部１４０、およびカレンダー部１４５から受信したデータを表示部１６０で表示できるように制御する。そして、複数の処理が同時に行われる場合に、それぞれの処理内容を表示部１６０上にどのように表示するかを調整する。具体的な調整の内容については後述する。
【００４９】
そして、表示部１６０は、表示装置駆動回路（図示せず）およびＬＣＤ画面（図示せず）を備えており、表示制御部１５０から受信した、表示データに基づいて、表示部１６０のＬＣＤ画面上に表示を行う。
【００５０】
キーパッド１７０は、ユーザからの入力指示受け付けるキーパッドである。キーパッド１７０は、ユーザから受け付けた内容を示すデータを表示制御部１５０へ送信する。キーパッド１７０の具体例としては、標準的な１２キーの英数字電話キーパッドが考えられるがこれに限られるものではない。
【００５１】
ネットワークインターフェース１０５は、表示装置１０と外部のネットワーク５０とのデータの送受信を行うインターフェースである。
【００５２】
電話送受信部１２０はネットワークインターフェース１０５、ネットワーク５０を介して、電話機２０から電話に関するデータを受信し、表示制御部１５０に着信や終了を示すデータを送信する。
【００５３】
マルチメディアデータ送受信部１３０は、ネットワークインターフェース１０５、ネットワーク５０を介して、マルチメディアデータ送信装置３０からマルチメディアデータを受信し、表示制御部１５０へ送信する。
【００５４】
画像再生部１４０はネットワークインターフェース１０５、ネットワーク５０を介して、ビデオサーバ４０から画像データを受信し、表示制御部１５０へ送信する。
【００５５】
次に、表示部１６０上に表示される画面を図２を用いて説明する。図２は、本実施の形態における、タスクを実行中の画面を示すものである。図２（ａ）は表示処理中の惑星の画像示すものであり、図２（ｂ）は、惑星の画像を再生中に、電話着信の通知があったときを示すものである。
【００５６】
図２（ａ）に示すように、現在は惑星の画像を表示している。これは、画像再生部１４０がビデオサーバ４０から惑星画像の画像データを受信し、表示制御部１５０へ送信することで行っている。ここで、表示装置１０において新たな処理として電話送受信部１２０が電話機２０からかかってきた電話を受信したとする。この状態を示すのが図２（ｂ）である。
【００５７】
図２（ｂ）の画面２１０に示すように、電話がかかってくると、表示制御部１５０は、全画面で表示されていた惑星の画像を縮小し、縮小前に惑星の画像が表示されていた部分に、ダッシュボード２２０を表示させる。ここで、ダッシュボード２２０とは、ある処理を実行中に別の処理を行うための通知を受けた場合に、当該通知の内容およびそれに対する処理を行うためのボタンを表示する画面をいう。ダッシュボード２２０は、元の処理中に表示されていた画面、例えば上記惑星の画像の例で言えば、惑星の画像が全画面表示から縮小画面表示になったときの、縮小される前に惑星の画像が表示されていた部分に表示される。
【００５８】
ダッシュボード２２０は、例えば、電話の着信があった場合には、発信者番号などのかかってきた電話のデータ、かかってきた音声電話に関するユーザ選択を受け付けるメニュー等で構成されている。このメニューの具体例としては、例えば、かかってきた音声電話に対し、ユーザが応答したい場合に選択する「決定」ボタン、かかってきた音声電話を無視して、惑星の画像を全画面表示に戻して見たい場合に選択する「キャンセル」ボタン等が考えられる。
【００５９】
したがって、ダッシュボード２２０は、表示処理が行われているときに、別の処理を行うための通知を受けた場合、ポップアップ形式でその通知を表示させることでユーザに対し煩わしさを与えることがない。すなわち、ユーザの煩わしさを最小限に抑えて別の処理を行うための通知をユーザに対して行うことができる。そして、ユーザが通知された別の処理を行うことを選択するのか、あるいは現在の処理をそのまま続けるのかを選択できる画面をユーザに対し提供することができる。
【００６０】
次に図３を用いて、本実施の形態における表示制御部１５０の処理の流れを説明する。図３は、本実施の形態における表示制御部１５０の処理の流れを示すフローチャートである。まず、Ｓ３００において、表示制御部１５０は、表示部１６０で表示する処理を行うための新たなイベントの通知を待つ。新たなイベントの通知としては、例えば、電話送受信部１２０、マルチメディアデータ送受信部１３０、画像再生部１４０、またはカレンダー部１４５からの通知が考えられる。そして、それぞれの通知は、例えば、電話送受信部１２０が受信した音声電話、マルチメディアデータ送受信部１３０が受信した電子メールやデジタル画像、画像再生部１４０が受信した画像データ、カレンダー部１４５に記憶されていた予定時刻の来訪の報知等の通知である。
【００６１】
次に、Ｓ３０１において、表示制御部１５０は、新たなイベントの通知が来たときに、表示部１６０で既に表示部で表示が行われているか否かを判定する。
【００６２】
そして、表示部１６０で既に表示が行われていなければ（Ｓ３０１でＮＯ）、表示制御部１５０は、上記通知を、表示部１６０に、表示画面の全部または一部にポップアップ形式で表示させる（Ｓ３０２）。その後はＳ３００に戻る。
【００６３】
なお、表示制御部１５０は、上記通知の表示は、電話送受信部１２０、マルチメディアデータ送受信部１３０、画像再生部１４０、またはカレンダー部１４５から受信したデータを、修正することなく表示部１６０の表示駆動回路に送信することによって、ポップアップ形式で表示させるものであってもよい。また表示制御部１５０は、受信したデータから独自の表示コマンドを作成し、表示駆動回路に送信して、画面上にポップアップ形式で表示させるものであってもよい。
【００６４】
一方、表示部１６０で既に表示が行われていれば（Ｓ３０１ＹＥＳ）、表示制御部１５０は、表示中の画像を縮小させ、上記通知を、縮小された画像に隣接するダッシュボード形式で画面上に表示する。ダッシュボード形式では、表示制御部１５０は、現在表示中の画像を所定のサイズに縮小して表示し続けるとともに、縮小された画像の隣に、上記通知に関する情報を表示させる。そして、縮小された画像とダッシュボード形式の表示とで、表示部１６０の画面全体を占めるようになっている。
【００６５】
また、上記ダッシュボード形式の表示では、通知に関するユーザの選択を受け付けられるように構成されたメニューを表示する。なお、表示制御部１５０は、表示部１６０で既に表示が行われていると判断した場合に、現在表示中の画像とダッシュボード形式での表示との両方を縮小させるように、表示駆動回路に対して表示コマンドを送信するものであってもよい。
【００６６】
なお、ダッシュボード形式の表示にあわせて表示中の画像を縮小する方法は、ユーザに対して視覚的に不快にならない方法、言い換えると、ユーザが表示画面を見て抱いた視覚的な感覚があまり変化しない方法が好ましい。例えば、現在実行中のタスクが画像送出（video feed）である場合、画像を送出している間中、画像が縮小される割合と実質的に等しい割合で画像を引き続き表示するために、ラインデータを選択することによって、縮小された表示の大きさに合うように画像送出を減らすのが１つのやり方である。
【００６７】
例えば、ダッシュボード形式の表示が全画面の５分の１を占める場合は、画像送出のラインデータのうち、最初の４つのラインデータを縮小した表示画面に表示し、5番目のラインデータを間引く。さらに、次の４つのラインデータを縮小した表示画面に表示し、１０番目のラインデータを間引くなどとする。すなわち、送出する画像データを５分の４にすることで、表示される画面が元の５分の４となり、縮小前と縮小後との表示画面からユーザが受ける感覚があまり変化しないようにすることができる。
【００６８】
あるいは、画像データの送信は、ダッシュボード用の空間を作るために、表示の最上部または最下部を切り取ることによって行ってもよい。
【００６９】
次に、Ｓ３０４で表示制御部１５０は、ダッシュボード形式で表示した画面によって、ユーザの選択を受け付ける。そして、ユーザの選択により、ユーザが新たな通知が示すタスクを選択した場合（Ｓ３０４でＹＥＳ）は、表示制御部１５０は、現在表示中の画像から新たな通知が示すタスクを実行することによる表示を行う（Ｓ３０５）。例えば、図２（ｂ）の場合では、ユーザがキーパッド１７０を利用して「決定」ボタンを選択すると、表示制御部１５０は、かかってきた電話に出よとのコマンドを電話送受信部１２０に送信するとともに、惑星の画像を表示していた画像再生部１４０に対し現在のフレームのまま停止せよというコマンドを送信する。そして、表示制御部１５０は、ダッシュボード２２０上に「再開」またはこれと同様のボタン（図示せず）を表示させて、ユーザが都合の良い時に上記画像を全画面で再び見ることができるようにする。そして、「再開」ボタンが選択されると、再び全画面表示となる（Ｓ３０６）。その後は、Ｓ３００に戻る。
【００７０】
一方、ユーザが通知を受けた処理を選択せずに、現在表示中の画像をそのまま表示すること選択した場合、あるいは何も選択せずに選択のための所定時間が終了した場合、あるいはイベントが終了した場合（Ｓ３０４でＮＯ）は、表示制御部１５０は、現在表示中の処理をそのまま継続し、ダッシュボード形式の表示を消去する（Ｓ３０６）。例えば、図２（ｂ）の場合では、ユーザがキーパッド１７０を利用して「キャンセル」ボタンを選択すると、表示制御部１５０は、表示部１６０の表示画面からダッシュボード２２０を消去し、惑星の画像を再び全画面表示で行う。これは、表示制御部１５０が、ユーザによる現在の処理の選択、ユーザ選択のための所定時間の終了、あるいはイベントの終了に応答して、表示駆動回路へコマンドを送信し、ダッシュボード２２０を消去して現在表示中の表示サイズを拡大させることによって行う。その後は、Ｓ３００に戻る。
【００７１】
次に、本発明の他の実施の形態について図４を用いて説明する。図４は、表示部１６０で表示処理を行っているときに、他の表示を求める処理の通知をダッシュボード形式で表示している画面を示す図である。
【００７２】
図４では、実行中のタスクが惑星の画像の再生であり、再生画像は表示されていないが、通知されている別のタスクは画像再生部１４０で受信している別の画像データである。図４に示すように、本実施の形態における表示画面４００では、表示処理中の惑星の画像が全画面表示からは縮小された大きさで表示され、それに隣接するようにダッシュボード形式による表示がされている。
【００７３】
そして、ダッシュボード形式の表示であるダッシュボード４２０は、表示処理中の画像である「惑星の画像」に関する情報、および別の表示処理を求めるデータに関するユーザの選択を受け付けるメニューを含む表示となっている。このメニューの具体例としては、例えば、ユーザが通知されている別のタスクの映像チャネルを切り換えるための「＋」ボタン、「−」ボタン、およびユーザが別の映像チャネルを選択せずに、現在の画像を全画面形式で見たい場合に選択する「キャンセル」ボタンが考えられる。これらの選択の受け付けは、ユーザがキーパッド１７０を利用して入力した内容が表示制御部１５０に送信されることで処理される。
【００７４】
以上のように、ダッシュボード４２０は、ユーザが表示処理中の画像をそのまま継続して視聴するのか、あるいは通知された別の表示処理を選択するのかを煩わされることなく選択できる画面を提供している。
【００７５】
図５は、さらに別の実施の形態における、表示部１６０に表示処理中の画像を表示しているときに、他の表示処理を求める通知があった場合のダッシュボード形式で通知を表示している画面を示す図である。
【００７６】
図５では、実行中のタスクが惑星の画像の再生であり、通知されている別のタスクは、電子メールの受信、株式相場情報の受信、およびニュース受信である。図５に示すように、本実施の形態における表示画面５００では、表示処理中の画像が全画面表示からは縮小された大きさで表示され、それに隣接するようにダッシュボード形式により表示されている。
【００７７】
そして、ダッシュボード形式による表示であるダッシュボード５２０は、通知されている新たな処理内容を示す「メール」、「株式市場」、および「ニュース」のアイコンと、それらのアイコンが反転表示されることで選択されていることを示し、その選択されたアイコンが示す内容へ表示画像を切り換える場合に選択する「決定」ボタンと、新たな処理である別の画像を選択せずに、現在の画像を全画面形式で見る場合に選択する「キャンセル」ボタンとを有している。これらの選択の受け付けは、ユーザがキーパッド１７０を利用して入力した内容が表示制御部１５０に送信されることで処理される。
【００７８】
以上のように、ダッシュボード５２０は、ユーザが表示処理中の画像をそのまま継続して視聴するのか、あるいは別の表示処理を求める通知を選択するのかを煩わされることなく選択できる画面を提供している。
【００７９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００８０】
なお、表示装置１０の各ブロック、特に電話送受信部１２０、マルチメディアデータ送受信部１３０、画像再生部１４０、カレンダー部１４５および表示制御部１５０は、ハードウェアロジックによって構成してもよいし、次のようにＣＰＵを用いてソフトウェアによって実現してもよい。
【００８１】
すなわち、表示装置１０は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである表示装置１０の制御プログラムのプログラムコード（実行形式プログラム、中間コードプログラム、ソースプログラム）をコンピュータで読み取り可能に記録した記録媒体を、上記表示装置１０に供給し、そのコンピュータ（またはＣＰＵやＭＰＵ（microprocessor unit））が記録媒体に記録されているプログラムコードを読み出し実行することによっても、達成可能である。
【００８２】
上記記録媒体としては、例えば、磁気テープやカセットテープ等のテープ系、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital video disk）／ＣＤ−Ｒ（CD Recordable）等の光ディスクを含むディスク系、ＩＣカード（メモリカードを含む）／光カード等のカード系、あるいはマスクＲＯＭ／ＥＰＲＯＭ（erasable programmable read-only memory）／ＥＥＰＲＯＭ（electrically erasable and programmable read-only memory）／フラッシュＲＯＭ等の半導体メモリ系などを用いることができる。
【００８３】
また、表示装置１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、通信ネットワークを構成する伝送媒体としては、特に限定されず、例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００８４】
以上のように、本発明は、煩わしさを最小限に抑えて、ユーザに別のタスクデータを通知するための表示装置ならびに表示装置の制御方法、および、ユーザが別のタスクを選択するのか、あるいは煩わされずに現在のタスクデータに戻って見るのかを選択できる画面機構を提供する。このような方法の１つは、第１のタスクからのデータを、表示装置のディスプレイ上に、第１のサイズのウィンドウ内に表示する工程と、第２のタスクを含むイベントを、上記デバイス上において検出する工程と、上記イベントに応答して、上記第１のタスクからの上記データを、上記デバイスの上記ディスプレイ上に、第２のサイズのウィンドウ内に表示する一方で、上記イベントを上記ユーザに通知するように適応されたダッシュボードを、上記第２のサイズのウィンドウの隣に表示する工程とを含んでいる。上記ダッシュボードは、イベント情報と、当該イベントに関するユーザ選択を受けるように適応されたメニューとを含んでいる。
【００８５】
（その他の構成）
なお、本発明は、以下の構成によるものであってもよい。
【００８６】
（構成１）
携帯電子デバイスのユーザに別のタスクを通知するための方法であって、第１のタスクからのデータを、上記デバイスのディスプレイ上において、第１のサイズのウィンドウ内に表示する工程と、第２のタスクを含むイベントを、上記デバイス上において検出する工程と、上記イベントに応答して、上記第１のタスクからの上記データを、上記デバイスの上記ディスプレイ上において、第２のサイズのウィンドウ内に表示する一方で、上記イベントを上記ユーザに通知するように適応されたダッシュボードを、上記第２のサイズのウィンドウの隣に表示する工程と、を含んでいる方法。
【００８７】
（構成２）
上記ダッシュボードは、イベント情報と、当該イベントに関するユーザ選択を受けるように適応されたメニューとを含んでいる、構成１に記載の方法。
【００８８】
（構成３）
上記ダッシュボードにおけるユーザ選択に応答して、上記第１のタスクからの上記データを、上記ディスプレイ上において、第３のサイズのウィンドウ内に表示する工程をさらに含んでいる、構成１に記載の方法。
【００８９】
（構成４）
ユーザ選択の時間制限の終了に応答して、上記第１のタスクからの上記データを、上記ディスプレイ上において、第３のサイズのウィンドウ内に表示する工程をさらに含んでいる、構成１に記載の方法。
【００９０】
（構成５）
上記イベントの終了に応答して、上記第１のタスクからの上記データを、上記ディスプレイ上において、第３のサイズのウィンドウ内に表示する工程をさらに含んでいる、構成１に記載の方法。
【００９１】
（構成６）
上記第１および第２のタスクはそれぞれ、ソフトウェアアプリケーション、ソフトウェアプロセス、および映像チャネルの内のいずれか１つを含んでいる、構成１に記載の方法。
【００９２】
（構成７）
上記データは、画像供給（video feed）からのフレームを含んでいる、構成１に記載の方法。
【００９３】
（構成８）
上記イベントは、掛かってきた電話、受信したテキストメッセージ、受信した画像、およびカレンダーイベントの内のいずれか１つを含んでいる、構成１に記載の方法。
【００９４】
（構成９）
上記第１および第３のサイズのウィンドウは全画面ウィンドウである、請求項３に記載の方法。
【００９５】
（構成１０）
携帯電子デバイスであって、ディスプレイマネージャを稼動させ、ならびに第１および第２のタスクを実行するプロセッサと、上記プロセッサと通信可能なように結合されており、かつ上記ディスプレイマネージャの制御下において、上記第１および第２のタスクに伴うデータを表示するように適応されているディスプレイと、を備えており、上記ディスプレイマネージャは、上記第２のタスクに伴うイベントに応答して、上記第１のタスクからのデータを表示する上記ディスプレイ上のウィンドウのサイズを縮小するように適応されており、かつ上記イベントをユーザに通知するように適応されたダッシュボードを上記ウィンドウの隣に表示するように適応されている、携帯電子デバイス。
【００９６】
（構成１１）
上記ダッシュボードは、イベント情報と、当該イベントに関するユーザ選択を受けるように適応されたメニューとを含んでいる、構成１０に記載のデバイス。
【００９７】
（構成１２）
上記ディスプレイマネージャは、上記ダッシュボード上でのユーザ選択に応答して、上記第１のタスクからのデータを表示する上記ウィンドウの上記サイズを拡大するように適応されている、構成１０に記載のデバイス。
【００９８】
（構成１３）
上記ディスプレイマネージャは、ユーザ選択の時間制限の終了に応答して、上記第１のタスクからのデータを表示する上記ウィンドウの上記サイズを拡大するように適応されている、構成１０に記載のデバイス。
【００９９】
（構成１４）
上記ディスプレイマネージャは、上記イベントの終了に応答して、上記第１のタスクからのデータを表示する上記ウィンドウの上記サイズを拡大するように適応されている、構成１０に記載のデバイス。
【０１００】
（構成１５）
上記第１および第２のタスクはそれぞれ、ソフトウェアアプリケーション、ソフトウェアプロセス、および映像チャネルの内のいずれか１つを含んでいる、構成１０に記載のデバイス。
【０１０１】
（構成１６）
上記データは、画像供給からのフレームを含んでいる、構成１０に記載のデバイス。
【０１０２】
（構成１７）
上記イベントは、掛かってきた電話、受信したテキストメッセージ、受信した画像、およびカレンダーイベントの内のいずれか１つを含んでいる、構成１０に記載のデバイス。
【０１０３】
（構成１８）
携帯電子デバイスであって、ディスプレイマネージャ、ならびに第１および第２のタスクを実行するプロセッサと、上記プロセッサと通信可能なように結合されており、かつ上記ディスプレイマネージャの制御下において、上記第１および第２のタスクを含むデータを表示するように適応されているディスプレイと、を備えており、上記ディスプレイマネージャは、上記第１のタスクからのデータをウィンドウ内に表示するように適応されており、かつユーザ選択を受けるように適応されたメニューを備えたダッシュボードを上記ウィンドウの隣に表示するように適応されており、上記ディスプレイマネージャは、ユーザ選択に応答して、上記第１のタスクからの上記データの代わりに、上記第２のタスクからのデータを上記ウィンドウ内に表示するように適応されている、携帯電子デバイス。
【０１０４】
（構成１９）
上記メニューは、Ｅメールのタイトル、株式市場相場、およびニュースヘッドラインの内の少なくとも１つをユーザが選択できるようになっている、構成１８に記載のデバイス。
【０１０５】
（構成２０）
上記メニューは、少なくとも１つの別の映像チャネルをユーザが選択できるようになっている、構成１８に記載のデバイス。
【産業上の利用可能性】
【０１０６】
画像を表示中に、新たな表示を求める通知を受けた場合に、該通知をポップアップ形式でなく、表示中の画像とは重ならない位置に表示させることができるので、複数の処理を行う表示装置に好適である。
【図面の簡単な説明】
【０１０７】
【図１】本発明の実施の形態を示すものであり、通信システムの要部構成を示すブロック図である。
【図２】上記実施の形態における、タスクを実行中の表示画面を示す図であり、（ａ）は、タスクを実行中の画像が全画面形式で表示されている表示画面を示す図であり、（ｂ）は、タスクを実行中に、別のタスクに伴うイベントの通知受けた画面を示す図である。
【図３】上記実施の形態における、表示制御部の処理の流れを示すフローチャートである。
【図４】本発明の他の実施の形態における、タスクを実行中に、別のタスクに伴う通知を受けている画面を示す図である。
【図５】本発明のさらに他の実施の形態における、タスクを実行中に、別のタスクに伴う通知を受けている画面を示す図である。
【符号の説明】
【０１０８】
１    通信システム
１０    表示装置
２０    電話機
３０    マルチメディアデータ送信装置
４０    ビデオサーバ
５０    ネットワーク
１０５    ネットワークインターフェース
１１０    制御部
１２０    電話送受信部（データ取得手段）
１３０    マルチメディアデータ送受信部（データ取得手段）
１４０    画像再生部（データ取得手段）
１４５    カレンダー部
１４６    カレンダー記憶部
１５０    表示制御部（表示制御手段）
１６０    表示部
１７０    キーパッド（受付手段）
【図１】
2008084300.tif 000003
【図３】
2008084300.tif 000004
【図２】
2008084300.tif 000005
【図４】
2008084300.tif 000006
【図５】
2008084300.tif 000007